(57)【要約】【課題】仕切りを折り畳んで嵩を低くしておけるとともに、折り畳んだ状態の外箱に貼り付け、外箱を組み上げた後、すぐに仕切りも外箱内で組み上げることができる収納箱を提供する。【解決手段】一枚の台紙において、前板１、後板２、両側板３、４、底板５、蓋板６を形成した折り畳み状態の外箱Ａと、一枚の台紙において、底板１１の両端に、外側板１２、容器保持用の上面挿入孔１３ａを設けた上板１３、前記上面挿入孔１３ａに連続する容器保持用の側面挿入孔１４ａを設けた内側板１４よりなる容器保持体１５を設けた折り畳み状態の仕切りＢから構成され、前記外箱Ａの後板２の内面に、前記仕切りＢの容器保持体１５の外側板１２の外面を貼り付けることにより、前記外箱Ａと仕切りＢを一体化したものとしている。【選択図】図１４
2014169087.tif 000002
【特許請求の範囲】
【請求項１】
一枚の台紙において、前板（１）、後板（２）、両側板（３、４）、底板（５）、蓋板（６）を形成した折り畳み状態の外箱（Ａ）と、
一枚の台紙において、底板（１１）の両端に、外側板（１２）、容器保持用の上面挿入孔（１３ａ）を設けた上板（１３）、前記上面挿入孔（１３ａ）に連続する容器保持用の側面挿入孔（１４ａ）を設けた内側板（１４）よりなる容器保持体（１５）を設けた折り畳み状態の仕切り（Ｂ）から構成され、
前記外箱（Ａ）の後板（２）の内面に、前記仕切り（Ｂ）の容器保持体（１５）の外側板（１２）の外面を貼り付けることにより、前記外箱（Ａ）と仕切り（Ｂ）を一体化したことを特徴とする収納箱。
【請求項２】
前記外箱（Ａ）を折り畳み状態から組み上がり状態に切り替えた後、前記仕切り（Ｂ）を折り畳み状態から組み上がり状態に切り替えることにより、前記外箱（Ａ）の内部に前記仕切り（Ｂ）を装着したことを特徴とする請求項１記載の収納箱。
【請求項３】
前記外箱（Ａ）の前板（１）の内側下端に隙間（Ｓ）があくように折り返した内前板（１ａ）を設け、
前記仕切り（Ｂ）の外側板（１２）に係止片（１２ａ）を設けたものとし、
前記外箱（Ａ）の内部に前記仕切り（Ｂ）を装着したとき、前記外箱（Ａ）の内前板（１ａ）の下端に、前記仕切り（Ｂ）の外側板（１２）の係止片（１２ａ）を係止させることにより、前記仕切り（Ｂ）を前記外箱（Ａ）の底から浮き上がらないようにしたことを特徴とする請求項２記載の収納箱。
【請求項４】
前記容器保持体（１５）の内側板（１４）に、内底板（１６）、中側板（１７）を形成したものとし、
前記仕切り（Ｂ）の底板（１１）に前記内底板（１６）を貼り付け、前記容器保持体（１５）の上板（１２）を中側板（１７）により支持するようにしたことを特徴とする請求項１から３のいずれかに記載の収納箱。
【発明の詳細な説明】
【技術分野】
【０００１】
この発明は、医薬品等を収容したアンプル、バイアル瓶などの破損し易い容器を収納するのに適した収納箱に関するものである。
【背景技術】
【０００２】
アンプル、バイアル瓶などの容器の収納箱は、取り扱い時の衝撃等によって容器が割れたり損傷したりするのを防止するために、箱内部に例えば緩衝機能付きの仕切りを設けたものとしている。
【０００３】
このような収納箱としては、例えば図２４、２５に示したように、組み立てた外箱３１の内部に、台紙４１と波状の成型紙４２からなる仕切り４３が挿入されたものが存在する。この仕切り４３は、外箱３１の横内側板３２、３２に入れた切り目３３、３３の部分をそれぞれ押し出した抑え止め３４、３４によって、外箱３１の内部で移動しないようにされている（特許文献１）。
【先行技術文献】
【特許文献】
【０００４】
【特許文献１】特許第３８３９５２２号公報
【発明の概要】
【発明が解決しようとする課題】
【０００５】
上記従来の収納箱では、組み上げる前の外箱３１は折り畳んで嵩を低くしておけるので、嵩張らず場所を取らないため、運搬したり、保管しておく場合などに非常に便利なものとなっている。
【０００６】
しかし、上記従来の収納箱では、仕切り４３は波状の成型紙４２からなっているので、成型紙４２をこれ以上この状態から嵩を低くすることができず、嵩張って場所を取るため、運搬したり、保管しておく場合などには、非常に不便なものとなるという課題を有していた。
【０００７】
さらに、上記従来の収納箱では、外箱３１を組み上げてから、この外箱３１に仕切り４３を挿入しなければならないため、外箱３１を組み上げる作業と外箱３１に仕切り４３を挿入する作業とは別々に行わなければならず、収納箱を作り上げるのに手間がかかるという問題点を有していた。
【０００８】
また、上記従来の収納箱では、外箱３１と仕切り４３とがセットになっているため、両者とも同じ個数が必要であり、運搬したり、保管しておく場合などにも、同じ個数だけ運搬したり、保管しておかなければならず、その個数管理が大変面倒であるという課題を有していた。
【０００９】
そこで、この発明は、上記従来の課題を解決するためになされたものであり、仕切りを折り畳んで嵩を低くしておけるとともに、折り畳んだ状態の外箱に貼り付け、外箱を組み上げた後、すぐに仕切りも外箱内で組み上げることができる収納箱を提供することを目的としている。
【課題を解決するための手段】
【００１０】
この発明の収納箱は、一枚の台紙において、前板１、後板２、両側板３、４、底板５、蓋板６を形成した折り畳み状態の外箱Ａと、一枚の台紙において、底板１１の両端に、外側板１２、容器保持用の上面挿入孔１３ａを設けた上板１３、前記上面挿入孔１３ａに連続する容器保持用の側面挿入孔１４ａを設けた内側板１４よりなる容器保持体１５を設けた折り畳み状態の仕切りＢから構成され、前記外箱Ａの後板２の内面に、前記仕切りＢの容器保持体１５の外側板１２の外面を貼り付けることにより、前記外箱Ａと仕切りＢを一体化したものとしている。
【００１１】
さらに、この発明の収納箱は、前記外箱Ａを折り畳み状態から組み上がり状態に切り替えた後、前記仕切りＢを折り畳み状態から組み上がり状態に切り替えることにより、前記外箱Ａの内部に前記仕切りＢを装着したものとしている。
【００１２】
そして、この発明の収納箱は、前記外箱Ａの前板１の内側下端に隙間Ｓがあくように折り返した内前板１ａを設け、前記仕切りＢの外側板１２に係止片１２ａを設けたものとし、前記外箱Ａの内部に前記仕切りＢを装着したとき、前記外箱Ａの内前板１ａの下端に、前記仕切りＢの外側板１２の係止片１２ａを係止させることにより、前記仕切りＢを前記外箱Ａの底から浮き上がらないようにしている。
【００１３】
また、この発明の収納箱は、前記容器保持体１５の内側板１４に、内底板１６、中側板１７を形成したものとし、前記仕切りＢの底板１１に前記内底板１６を貼り付け、前記容器保持体１５の上板１２を中側板１７により支持するようにしている。
【発明の効果】
【００１４】
この発明の収納箱は、仕切りを折り畳んで嵩を低くしておけるとともに、折り畳んだ状態の外箱に貼り付けているため、嵩張らず場所を取らず、運搬したり、保管しておく場合などに非常に便利なものとなる。
【００１５】
さらに、この発明の収納箱は、外箱を組み上げた後、すぐに仕切りも外箱内で組み上げることができるので、収納箱を作り上げるのに手間がかからないものとなる。
【００１６】
また、この発明の収納箱は、折り畳んだ状態の外箱に、折り畳んだ状態の仕切りを貼り付けているため、この貼り付けた状態で両者は同じ個数になっているので、その個数管理をする必要がなく、面倒なことはない。
【００１７】
さらに、この発明の収納箱は、折り畳んだ状態の外箱と折り畳んだ状態の仕切りをそれぞれ自動製函機（サックマシン）で作製できるので、量産化がし易いものとなる。
【図面の簡単な説明】
【００１８】
【図１】この発明の収納箱の外箱を展開した状態を示す平面図である。
【図２】この発明の収納箱の外箱の折る順序を示しており、図１から折り進めた状態の説明図である。
【図３】この発明の収納箱の外箱の折る順序を示しており、図２から折り進めた状態の説明図である。
【図４】この発明の収納箱の外箱の折る順序を示しており、図３から折り進めた状態の説明図である。
【図５】この発明の収納箱の外箱の折る順序を示しており、図４から折り進めた状態の説明図である。
【図６】この発明の収納箱の外箱の折る順序を示しており、図５から折り進めた状態の説明図である。
【図７】この発明の収納箱の仕切りを展開した状態を示す平面図である。
【図８】この発明の収納箱の仕切りの折る順序を示しており、図７から折り進めた状態の説明図である。
【図９】この発明の収納箱の仕切りの折る順序を示しており、図８から折り進めた状態の説明図である。
【図１０】この発明の収納箱の仕切りの折る順序を示しており、図９から折り進めた状態の説明図である。
【図１１】この発明の収納箱の仕切りの折る順序を示しており、図１０から折り進めた状態の説明図である。
【図１２】この発明の収納箱の仕切りの折る順序を示しており、図１１から折り進めた状態の説明図である。
【図１３】この発明の収納箱の外箱に仕切りを一体化する状態を示す説明図である。
【図１４】この発明の収納箱の折り畳んだ状態の外箱に、折り畳んだ状態の仕切りを貼り付けた状態を示す平面図である。
【図１５】この発明の収納箱の仕切りを組み上がり易くするためにくせ折りした状態を示す説明図である。
【図１６】この発明の収納箱の外箱の組み上げ状態を示す斜視図である。
【図１７】この発明の収納箱の外箱の組み上げ状態を示す平面図である。
【図１８ａ】この発明の収納箱の外箱の前板に底板を係止しようとしている状態を示す説明図である。
【図１８ｂ】図１８ａ中のＡ−Ａ線による前板と底板が係止し終わった状態を示す断面図である。
【図１９】この発明の収納箱の外箱と仕切りとが組み上がった状態を示す斜視図である。
【図２０ａ】この発明の収納箱の外箱の前板に仕切りの外側板を係止しようとしている状態を示す説明図である。
【図２０ｂ】図２０ａ中のＢ−Ｂ線による外箱の前板と仕切りの外側板が係止し終わった状態を示す断面図である。
【図２１】この発明の収納箱にアンプルを収納した状態を示す斜視図である。
【図２２】図２１に示すこの発明の収納箱に収納したアンプルの上に二つ折りにした翼板を重ね合わせる状態を示す斜視図である。
【図２３】この発明の収納箱にアンプルを収納し蓋体を閉じた状態を示す斜視図である。
【図２４】従来の収納箱の蓋を開けた状態を示す斜視図である。
【図２５】従来の収納箱の外箱の横内側板に入れた切り目の部分を押し出して抑え止めを張り出した状態を示す部分斜視図である。
【発明を実施するための形態】
【００１９】
以下、この発明の収納箱を実施するための形態を、図面に基づいて詳細に説明する。
【００２０】
この発明の収納箱は、一枚の台紙において、前板１、後板２、両側板３、４、底板５、蓋板６を形成した折り畳み状態の外箱Ａと、一枚の台紙において、底板１１の両端に、外側板１２、容器保持用の上面挿入孔１３ａを設けた上板１３、前記上面挿入孔１３ａに連続する容器保持用の側面挿入孔１４ａを設けた内側板１４よりなる容器保持体１５を設けた折り畳み状態の仕切りＢから構成されている。
【００２１】
そして、この発明の収納箱は、前記外箱Ａの後板２の内面に、前記仕切りＢの容器保持体１５の外側板１２の外面を貼り付けることにより、前記外箱Ａと仕切りＢを一体化している。
【００２２】
さらに、この発明の収納箱は、前記外箱Ａを折り畳み状態から組み上がり状態に切り替えた後、前記仕切りＢを折り畳み状態から組み上がり状態に切り替えることにより、前記外箱Ａの内部に前記仕切りＢを装着したものとしている。
【００２３】
前記外箱Ａは、図１に示したように、一枚の台紙において、横一方向に連接した前板１、後板２、両側板３、４及び接続片７を形成し、両側板３、４の下方向に三角状の側底板３ａ、４ａと接続板３ｂ、４ｂを、両側板３、４の上方向に折り返して二枚重ねにして外箱Ａの開口面を覆う翼板３ｃ、４ｃをそれぞれ連接し、前板１の下方向に半底板５ａを、前板１の上方向に内前板１ａと延長片１ｂをそれぞれ連接し、後板２の下方向に全底板５ｂと係止板５ｃを、後板２の上方向に蓋板６と差込み板６ａをそれぞれ連接し、連接部分にはそれぞれ折線ａ、ｂ、ｃ、ｄを配している。
【００２４】
なお、前記底板５は、半底板５ａと全底板５ｂを重ね合わせて形成される。また、前記全底板５ｂには、斜め折線ｅを入れて三角片８を形成し、外箱Ａの組み上げの際に外箱Ａの内面に接触して折れ曲がり、摩擦抵抗を弱めて組み上げ易くしている。
【００２５】
そして、前記外箱Ａは、図２から図６に示したように折り畳み、糊付けして嵩の低い折り畳み状態にする。図２は、図１から前板１に連接したこの前板１より短高の内前板１ａを横折線ｂ沿いに折り返して、前板１に糊代１Ａで貼り付け、前記前板１の内側下端に隙間Ｓがあくようにした状態を示している。図３は、図２から側底板３ａ、４ａと半底板５ａ、全底板５ｂを横折線ｃ沿いに折曲げ対応する板に重ねた状態である。図４は、図３から接続板３ｂ、４ｂを斜め折線ｄ沿いに折曲げて、側底板３ａ、４ａに糊代３Ａ、４Ａを形成した状態を示している。図５は、図４から側板４と後板２間の縦折線ａ沿いに折曲げて、全底板５ｂに接続板４ｂを糊代４Ａで貼り付け接続片７に糊代７Ａを形成した状態を示している。図６は、図５から側板３と前板１間の縦折線ａ沿いに折曲げて、半底板５ａに接続板３ｂを糊代３Ａで貼り付け、側板３と接続片７を糊代７Ａで貼り付けた状態を示している。
【００２６】
なお、前記外箱Ａを折り畳み状態にするには、作業者が手作業で貼り加工を行ってもよいが、自動製函機（サックマシン）で貼り加工を行うことができ量産も可能である。
【００２７】
前記仕切りＢは、図７に示したように、一枚の台紙において、底板１１となる領域の両端にそれぞれ連接した外側板１２、容器保持用の複数の上面挿入孔１３ａを設けた上板１３、前記上面挿入孔１３ａに連続する容器保持用の複数の側面挿入孔１４ａを設けた内側板１４、内底板１６、中側板１７を形成し、連接部分にはそれぞれ縦折線ｆ、ｇ、ｈ、ｉ、ｊ、ｋを配している。なお、前記上面挿入孔１３ａは、保持する容器がアンプルの場合、一方をアンプルの頭部側を保持し易いように大きく形成し、他方をアンプルの本体部側を保持し易いように小さく形成している。
【００２８】
前記底板１１の一端側の上板１３には、複数の上面挿入孔１３ａにかけて一対の圧接片１８を設けている。さらに、前記底板１１の一端側の中側板１７には、複数の上板支持片１７ａを突設している。前記底板１１の他端側の上板１３には、複数の上面挿入孔１３ａにかけてそれぞれ、一対の圧接片１８を設けると共に、中側板１７の支持片１９を設けている。さらに、前記底板１１の他端側の外側板１２には、縦折線ｆの途中に形成された舌状の切込みｌによって係止片１２ａが設けられている。なお、前記容器保持体１５は、後に述べるようにそれぞれ縦折線ｆ、ｇ、ｈ、ｉ、ｊ、ｋで折り曲げて、前記底板１１の両端部に設けられる。
【００２９】
そして、前記仕切りＢは、図８から図１２に示したように折り畳み、糊付けして嵩の低い折り畳み状態にする。図８は、図７から底板１１の一端側の中側板１７を、縦折線ｊ沿いに折り返して内底板１６に重ねた状態を示している。図９は、図８から内側板１４を縦折線ｈ沿いに折り返し、上板１３に形成した糊代１３Ａに、中側板１７に突設した上板支持片１７ａを貼り付けた状態を示している。図１０は、図９から内底板１６を縦折線ｇ沿いに折り返し、内底板１６に形成した糊代１６Ａを底板１１に貼り付けた状態を示している。図１１は、図１０から底板１１の他端側の内底板１６と中側板１７を、縦折線ｉ沿いに折り返して、内底板１６を内側板１４に重ねると共に、上板１３の支持片１９に形成した糊代１９Ａに中側板１７を貼り付けた状態を示している。図１２は、図１１で折り返した部分を縦折線ｇ沿いに折り返し、内底板１６に形成した糊代１６Ａを底板１１に貼り付けた状態を示している。
【００３０】
なお、前記仕切りＢを折り畳み状態にするには、作業者が手作業で貼り加工を行ってもよいが、自動製函機（サックマシン）で貼り加工を行うことができ量産も可能である。
【００３１】
次に、この発明の収納箱は、前記外箱Ａの後板２の内面に、前記仕切りＢの容器保持体１５の外側板１２の外面を貼り付けることにより、前記外箱Ａと仕切りＢを一体化する。この場合、図１３に示したように、前記外箱Ａの蓋体６を持ち上げた状態にして、外箱Ａの後板２と全底板５ｂの間に、仕切りＢの底板１１を上に向け、この仕切りＢの容器保持体１５の外側板１２を差込み、外側板１２の外面に形成した糊代１２Ａを後板２の内面に貼り付ける。そして、前記外箱Ａの蓋体６を持ち上げた状態から、この蓋体６を元の状態に戻すと、図１４に示したように、外箱Ａと仕切りＢとがそれぞれ折り畳み状態で一体化されたものになる。
【００３２】
なお、前記仕切りＢは、外箱Ａと一体化する前に、この仕切りＢを組み上げ易いように、図１２に示した状態から図１５に示したように、底板１１の両端の外側板１２をそれぞれ図の横方にベタ折りしてから、折り癖を付けて、図１２示した状態に戻したものとしている。また、前記外箱Ａの全底板５ｂの三角片８を形成した角部に切欠き８ａを設けると共に、仕切りＢの底板１１の角部に切欠き１１ａを設けることにより、外箱Ａおよび仕切りＢが折り畳み状態において各板が集中しても分厚くならないようにしている。
【００３３】
以上のように構成したこの発明の収納箱は、前記外箱Ａを折り畳み状態から組み上がり状態に切り替えた後、前記仕切りＢを折り畳み状態から組み上がり状態に切り替えることにより、前記外箱Ａの内部に前記仕切りＢを装着したものとする。
【００３４】
前記外箱Ａを折り畳み状態から組み上がり状態に切り替えるには、図１４に示した状態から、この外箱Ａの両端に内方向の力を加えると、後板２側から両側板３、４、前板１が起き上がると共に、側底板３ａ、４ａ、半底板５ａ、大底板５ｂが起き上がって底板５となり、図１６、１７に示したように、外箱Ａがワンタッチで組み上がり状態となる。
【００３５】
この場合、図１８ａ、１８ｂに示したように、外箱Ａの内前板１ａの下端に、全底板５ｂの係止片５ｃを係止させることにより、この全底板５ｂを外箱Ａの底から浮き上がらないようにしている。
【００３６】
前記仕切りＢを折り畳み状態から組み上がり状態に切り替えるには、図１６に示した状態から両外側板１２を起き上がらせると、両内側板１４、両中側板１７が起き上がるので、仕切りＢが組み上がり状態となる。この状態で、前記仕切りＢを前記外箱Ａの内部に入れると、図１９に示したように、外箱Ａの前後部に仕切りＢの容器保持体１５が装着される。
【００３７】
この場合、図２０ａ、２０ｂに示したように、前記外箱Ａの内前板１ａの下端に、仕切りＢの外側板１２の係止片１２ａを係止させることにより、仕切りＢを外箱Ａの底から浮き上がらないようにしている。
【００３８】
さらに、前記外箱Ａの前部に配置された仕切りＢの容器保持体１５は、図２０ｂに示したように、上板１３が中側板１７によって支持されているので、丈夫なものとなり、型崩れし難いものとなっている。なお、図示していないが、前記外箱Ａの後部に配置された仕切りＢの容器保持体１５も、上板１３が中側板１７によって支持されているので、丈夫なものとなり、型崩れし難いものとなっている。また、前記仕切りＢの容器保持体１５は、外側板１２と中側板１７の間に中空部が形成されているので、この中空部によって衝撃吸収性の高いものとなっている。
【００３９】
次に、この発明の収納箱は、前記したように外箱Ａの内部に仕切りＢを装着してから、図２１から図２３に示したように、この仕切りＢの容器保持体１５にアンプル、バイアル瓶などの破損し易い容器を収納する。
【００４０】
収納する容器をアンプルＡｐとした場合には、図２１に示したように、容器保持体１５の上面挿入孔１３ａを大きくした方にアンプルＡｐの頭部側を保持し、容器保持体１５の上面挿入孔１３ａを小さくした方にアンプルＡｐの本体部側を保持する。この場合、アンプルＡｐの頭部や本体部は、それぞれ上面挿入孔１３ａにかけて設けられた圧接片１８に押し付けられ、アンプルＡｐは前後の容器保持体１５に確りと保持されることになる。
【００４１】
そして、図２２に示したように、容器保持体１５に保持されたアンプルＡｐの上に、取扱説明書などを挟み込んで、折り返して二枚重ねにした翼板３ｃ、４ｃを被せ、この翼板３ｃ、４ｃで外箱Ａの開口面を閉じ、さらに図２３に示したように、外箱Ａの蓋体６を閉めればよい。
【符号の説明】
【００４２】
１  前板
１ａ  内前板
２  後板
３  側板
４  側板
５  底板
６  蓋板
１１  底板
１２  外側板
１２ａ  係止片
１３  上板
１３ａ  上面挿入孔
１４  内側板
１４ａ  側面挿入孔
１５  容器保持体
１６  内底板
１７  中側板
Ａ  外箱
Ｂ  仕切り
Ｓ  隙間
【図１】
2014169087.tif 000003
【図２】
2014169087.tif 000004
【図３】
2014169087.tif 000005
【図４】
2014169087.tif 000006
【図５】
2014169087.tif 000007
【図６】
2014169087.tif 000008
【図７】
2014169087.tif 000009
【図８】
2014169087.tif 000010
【図９】
2014169087.tif 000011
【図１０】
2014169087.tif 000012
【図１１】
2014169087.tif 000013
【図１２】
2014169087.tif 000014
【図１３】
2014169087.tif 000015
【図１４】
2014169087.tif 000016
【図１５】
2014169087.tif 000017
【図１６】
2014169087.tif 000018
【図１７】
2014169087.tif 000019
【図１８ａ】
2014169087.tif 000020
【図１８ｂ】
2014169087.tif 000021
【図１９】
2014169087.tif 000022
【図２０ａ】
2014169087.tif 000023
【図２０ｂ】
2014169087.tif 000024
【図２１】
2014169087.tif 000025
【図２２】
2014169087.tif 000026
【図２３】
2014169087.tif 000027
【図２４】
2014169087.tif 000028
【図２５】
2014169087.tif 000029